Podtech/llm-jp-corpus-v4-ja_patent huggingface dataset:
(57)【要約】【課題】  視覚障害者を誘導する方法は、視覚障害者誘導用ブロックを杖で触知する方法、磁性体誘導路方式、特定色誘導路方式、誘導溝方式がある。    いずれの方法も杖の接触又は近接検知であり誘導路に沿う連続検知が出来ない問題を持っている。又、赤外線と杖を組み合わせたものとして、歩行路の表面に設置している光ファイバーの端末から方向別音声案内をするものがある。これは点を点で走査する事となり、情報を得るのは非常に難しい。【解決手段】視覚障害者用送信機によって張り巡らせた赤外線によるライトカーテンを視覚障害者用受信機によって受光し、メロディー変換された信号を認識することによって、視覚障害者を安全に歩行誘導が出来る。【選択図】  図１
2010104536.tif 000002
【特許請求の範囲】
【請求項１】
視覚障害者の誘導と位置確認及び警告に応じて設定された赤外線
を変調し、特定方向に向けて発射する発光手段を備える視覚障害者用送信機
と、特定方向からの光を受け、電気信号に変換する光電変換手段と、この電
気信号を音声信号に変換する音声変換手段を備えた視覚障害者用受信機と、
を備えてなる視覚障害者誘導装置。
【発明の詳細な説明】
【技術分野】
【０００１】
本発明は誘導・位置確認、警告に応じて設定された赤外線を変調し、特定方向に発射する送信機を歩道に敷設する。特定方向からの光を受け、電気信号に変換する光電変換手段と、この電気信号を音声信号に変換する音声変換手段を備えた受信機により、視覚障害者が誘導・位置確認・警告情報を獲得する視覚障害者誘導装置。
【背景技術】
【０００２】
従来、視覚障害者を誘導する方法は、視覚障害者誘導用ブロックを杖で触知する方法、磁性体誘導路方式、特定色誘導路方式、誘導溝方式がある。
赤外線と杖を組み合わせたものとして、歩行路の表面に設置している光ファイバーの端末から方向別音声案内をするものがある。
【特許文献１】特許第２６７３２５８号の公報
【発明の開示】
【発明が解決しようとする課題】
【０００３】
視覚障害者誘導用ブロックを杖で触知する方法、磁性体誘導路方式、特定色誘導路方式、誘導溝方式のいずれの方法も杖の接触又は近接検知であり誘導路に沿う連続検知が出来ない問題を持っている。杖の先端で歩行路面に設置している光ファイバーの端末から方向別音声を読み取る方法（特公第２６７３２５８号）は点を点で走査する事となり、情報を得るのは非常に難しい。
【０００４】
本発明は、従来の技術が有する問題点を鑑み、接触・非接触に関係なく、赤外線を面状に放射することにより、誘導路を検知できる機能に加え、位置確認、警告情報を音声（メロディー）によって提供しようとするものである。
【課題を解決するための手段】
【０００５】
上記の目的を達成するために、本発明は、以下のように構成した。
【０００６】
誘導、位置確認、警告とそれぞれの役割毎に設定し、発光ダイオードにて発光し、変調装置で変調させた近赤外線をグラスファイバーにて送信し、
その先端を硬質ゴムブロック（３００×１００×５０）に穿った穴に取り付ける。
【０００７】
硬質ゴムブロックは移動方向を示す線状ブロックに替わるものは、その長手方向を歩車道境界縁石に平行に、縁石より０．９ｍ歩道側に線状に敷設する。
交差点歩車道境界部における警告用点状ブロックに替わるものは、進行方向に直角に、歩車道境界切り下げ平ブロックより０．６ｍ歩道側に敷設する。図１に示す。
【０００８】
図２に示すように、線状ブロックに替わる硬質ゴムブロックには、グラスファイバーの先端を１０ｃｍピッチで放射角度(θ)を誘導・位置確認用にはθ＝４５°、境界確認用にはθ＝９０°になるように取り付ける。
【０００９】
点状ブロックに替わる硬質ゴムブロックには、グラスファイバーの先端を１０ｃｍピッチで放射角度(θ)を「車道へ降りる時」用にはθ＝２２°、「歩道へ登る時」用にはθ＝１２°になるように取り付ける。
【００１０】
硬質ゴムブロックにグラスファイバーを取り付けたものを送信部として、グラスファイバー先端より赤外線を発射する。これを視覚障害者用送信とする。
【００１１】
視覚障害者用送信機から発射される赤外線により空中にライトカーテンを張り巡らすこととなる。
【００１２】
視覚障害者用受信機は白杖6にフォトダイオード1、メロディーＩＣ2、スピーカー3、イヤホンジャック4、イヤホン（着脱可能）5、を装備したものとする。図３に示す。
【００１３】
特定方向から発射された光を白杖の下部より約６４ｃｍの部分に設ける窓、及び白杖の底部の開口により受ける。
【００１４】
その受光をフォトダイオード1により電気信号に変換し、これをメロディーＩＣ2によってメロディーに変換されたものを、スピーカー3、イヤホンジャック4、イヤホン5を通じて視覚障害者に各信号をメロディーによって知らせる。
【００１５】
本発明は視覚障害者用送信機によって張り巡らせた赤外線によるライトカーテンを視覚障害者用受信機によって受光し、メロディー変換された信号を認識することによって、視覚障害者を安全に歩行誘導が出来る。
【００１６】
上述したものが「赤外線による視覚障害者誘導装置」である。
【００１７】
次に、本発明の応用例として「駅のホーム」を示す。
【００１８】
誘導・位置確認・境界確認用送信部を駅のホーム先端より０．６ｍの位置に線状に敷設する。これによりホーム先端近くにライトカーテンを張り巡らすことになる。
【００１９】
このライトカーテンを視覚障害者は視覚障害者用受信機である白杖により、各信号を認識し、安全を確保することが出来る。
【００２０】
列車停車時以外にこのライトカーテンを横切る者がいた場合は、駅員の携帯ベルを作動させ、転落事故の事前防止に役立てることができる。
本発明を「駅のホーム」に採用することは、ホームドアーを設置したのと同様のものとなる。図４にこれを示す。
【００２１】
次に、本発明の「施設内での緊急避難時の視覚障害者誘導」に応用する例を図５示す。
【００２２】
視覚障害者用送信機の送信部にある光ファイバー放射孔を１０ｃｍピッチに並べ、放射角度θ＝４５°に設定したユニットを施設内天井、通路幅に取り付ける。このユニット取り付けピッチは１．５ｍとする。
【００２３】
このユニットから発射される赤外線放射光は、避難方向に対して逆向きとする。
【００２４】
視覚障害者は、放射光を視覚障害者用受信機である白杖にて受光することにより、避難方向を察知できる。
【図面の簡単な説明】
【００２５】
【図１】本発明を使用した歩道交差点部平面図である。
【図２】硬質ゴムブロック（誘導・位置確認・境界確認用）の図である。
【図３】視覚障害者用受信機である白杖の図である。
【図４】本発明を「駅のホーム」に設置した応用例を示す図である。
【図５】本発明を「施設での緊急避難時の視覚障害者誘導」に応用する例を示す図である。
【符号の説明】
【００２６】
１      フォトダイオード
２      メロディーＩＣ
３      スピーカー
４      イヤホンジャック
５      イヤホン
６      白杖
【図１】
2010104536.tif 000003
【図２】
2010104536.tif 000004
【図３】
2010104536.tif 000005
【図４】
2010104536.tif 000006
【図５】
2010104536.tif 000007
(57)【要約】      （修正有）【課題】水は炊事、洗濯、入浴、トイレ等に使われているが、一度使うと、捨てていたが、浄化し、再度使うことができる新作水を提供する。【解決手段】今まで使い捨ての水を再度利用する。  自然が与えてくれたものを大切に遣い、不足がちの水を補うことが出来る。浮遊している棄物、花粉を取り去ることが出来る。【選択図】図１
2010104859.tif 000002
【特許請求の範囲】
【請求項１】
一度使った水を容器に取り込み、その容器で浄化し、二つに分け出力する。
一つ目は、もう一度使う。
二つ目は、家の外に散水する。
水を節約し、外気温を下げ、花粉、浮遊する物質を洗い流す。
この一連の考え。
【発明の詳細な説明】
【技術分野】
【０００１】  この発明は、一度使った水を捨てずに、浄化し、再度使うものである。
【背景技術】
【０００２】  いままで、水は炊事、洗濯、入浴、トイレ等に使われているが、一度使うと、捨てていた。
この発明は、その捨てていた水を浄化し、再度使おうとしたものである。
【発明の効果】
【０００３】  この発明に寄って、神に感謝を表すと同時に不足がちの水を補える。
【図面の簡単な説明】
【符号の説明】
（１）  一度使った水の入り口
（２）  浄化槽
（３）  浄化した水でもう一度使う口
（４）  浄化した水で家の外に散布する口
【図１】
2010104859.tif 000003
【手続補正書】
【提出日】平成21年6月29日(2009.6.29)
【手続補正１】
【補正対象書類名】明細書
【補正対象項目名】全文
【補正方法】変更
【補正の内容】
【発明の詳細な説明】
【技術分野】
【０００１】  この発明は、一度使った水を捨てずに、浄化し、再度使うものである。
【背景技術】
【０００２】  いままで、水は炊事、洗濯、入浴、トイレ等に使われているが、一度使うと、捨てていた。
この発明は、その捨てていた水を浄化し、再度使おうとしたものである。
【発明の効果】
【０００３】  この発明に寄って、神に感謝を表すと同時に不足がちの水を補える。
【図面の簡単な説明】
【０００４】
【図１】新作水設備  生活排水は浄化槽で浄化処理し、再利用又は散布される。
【符号の説明】
【０００５】  （１）一度使った水の入り口
（２）浄化槽
（３）浄化した水でもう一度使う口
（４）浄化した水で家の外に散布する口
(57)【要約】【課題】食感がぱさつかず、冷えても固くならず、空気に触れても乾燥しにくい、美味しい味付け牛肉を作る。【解決手段】原料肉として牛肉のみを使用、調味料として砂糖、醤油にトレハロース、和牛脂などを加えて、沸騰させずに調理して味付け牛肉を作る。【特許請求の範囲】
【請求項１】
原料肉として牛肉を使用した味付け牛肉。
【請求項２】
原料として牛肉を使用した味付け牛肉の製造方法。
【発明の詳細な説明】
【技術分野】
【０００１】
本発明は牛肉を原料とした味付け牛肉、牛のしぐれ煮、及びその製造方法に関するものである。
【背景技術】
【０００２】
従来の味付け牛肉は、牛肉と調味料を一緒に煮込み、沸騰させて脂分を除去しようとするものが主流であり、たんぱく質が固化して食感がパサつくうえ、冷えると硬くなり塩分が浸透し味が濃くなる欠点があった。
又、従来の味付け牛肉は、調理後、空気に触れると乾燥し始めジューシーさがなくなっていた。
【０００３】
しぐれ煮の例としては、鰻のしぐれ煮及びその製造方法はあるが、この特許は鰻を使用するのが目的であり、当発明の牛肉の使用とは全く異なる内容である。
【特許文献１】特許公開平１０―２９０６８３
【発明の開示】
【発明が解決しようとする課題】
【０００４】
本発明の課題は、冷えても固くならず、パサ付かない、又、直接空気に触れても乾燥しにくい、美味しい味付け牛肉、牛のしぐれ煮を提供することである。
【課題を解決するための手段】
【０００５】
本発明では、原料を沸騰させずに脂分を除去する方法を開発し、更に、調理後、乾燥し難い調味料の配合方法を開発した。
【０００６】
原料を調理する時に、たんぱく質が変性しない、かつ脂肪分の融解温度以上の温度帯、例えば摂氏５０度〜８５度の温度帯で余分な脂肪分を除去して、その後に、同じ温度帯で調味味付けをすることにより、固くなくふっくらとした味付け肉を製造することができる。
【０００７】
調味料を従来の砂糖、醤油、醗酵調味料、アミノ酸等でなく、例えば糖分を、粗糖とトレハロースを組み合わせることで、保水性が増ししっとりとした食感を得ることができる。
【０００８】
更に、和牛脂を使用することで、口中でまろやかな食味を持ち、後味の良い付け肉を製造することができる。
このことは表１の牛脂の融解温度からもわかるように、和牛脂は人の口中で容易に解け易いためにまろやかな食味をもつことが出来る。
【表１】
2010104283.tif 000002
【発明の効果】
【０００９】
以上、本発明により、美味しい味付け牛肉、牛のしぐれ煮を得ることが出来る。
【実施例】
【００１０】
請求項１に係る味付けの実施の例を表２に記すと
【表２】
2010104283.tif 000003
【００１１】
表1の原材料、牛肉を重量比で
・  配合例１として国産牛(脂身に多い部分)５０％、輸入牛５０％(赤身肉)。
・  配合例２として輸入牛肉(赤身肉)。
・  配合例３として配合例１と同じで和牛脂を外す。
【００１２】
上記方法で提供された味付け牛肉を、試食比較した結果
・  配合例１は美味しく、しっとり感があり、食感、後味ともに良かった。
・  配合例2はパサつき、食感が悪いが、後味は良かった。
・  配合例３は食感は良かったが、しっとり感、後味に欠けた。
【００１３】
請求項２に係る味付け牛肉の実施例を表３に記すと
【表３】
2010104283.tif 000004
【００１４】
表1の配合例で、調理方法として
・  調理例１は国産牛(脂身に多い部分)５０％、輸入牛５０％(赤身肉)を一次加熱して、二次過熱も沸騰させずに調理。
・  調理例２は国産牛(脂身に多い部分)５０％、輸入牛５０％(赤身肉)を一次加熱して、二次加熱は従来通り沸騰させて調理。
・  調理例３は国産牛(脂身に多い部分)５０％、輸入牛５０％(赤身肉)を従来通り、そのまま沸騰させて調理。
【００１５】
上記方法で提供された味付け牛肉を、試食比較した結果
・  配合例１は美味しく、しっとり感があり、食感、後味ともに良かった。
・  配合例2は調理後すぐは美味しく、食感、後味は良かったが、ややしっとり感にかけた。
又、時間がたつと表面が乾き、肉質が硬くなり、味が濃くなった。
・  配合例３は食感は良かったが、脂がきつく、時間がたつと表面が乾き、肉質が硬くなり、味が濃くなり、なおかつ脂をよりきつく感じた。
本発明により、従来の調理方法で作った味付け牛肉は、時間が経つと共に、表面が乾き、肉質が硬く、味が濃くなるのが難点とされていたが、時間が経ってもしっとりした美味しい味付け牛肉を得ることが出来た。
(57)【要約】      （修正有）【課題】無限なる座標、無限なる記憶メモリが、回るだけで取れる又は入れる事が出来る数式を提供する。【解決手段】 2010104215.tif 000007で表わされる２つの数式からなり、２つのＸ、Ｙの数式が基礎数式となっていて変数Ａ１つの入力だけでＸ、Ｙの数値と角度の数値が左がマイナス、右がプラスで左右対象に同じ数値で出る回る数式である。また、Ｘｗ、Ｙｗの変数入力で円周上のＸ、Ｙの数値はもとの基線Ｘ、Ｙからの寸法になる。【選択図】図１
2010104215.tif 000002
【特許請求の範囲】
【請求項１】
Ｐｒｏｇ  ＭＡｗＡＲＵ、Ｒ・・・・・直径
Ｐｒｏｇ  ＭＡｗＡＲＵ、Ｎ・・・・・展開数
Ｐｒｏｇ  ＭＡｗＡＲＵ、Ｘｗ・・・・Ｘ、変心数
Ｐｒｏｇ  ＭＡｗＡＲＵ、Ｙｗ・・・・Ｙ、変心数
Ｐｒｏｇ  ＭＡｗＡＲＵ、Ｘ・・・・・Ｘ軸数値
2010104215.tif 000004
Ａ〔２６〕×ｓｉｎ（９０÷Ａ〔２７〕×Ａ）＋Ａ〔２８〕
Ｐｒｏｇ  ＭＡｗＡＲＵ、Ｙ・・・・・Ｙ軸数値
2010104215.tif 000005
Ａ〔２９〕×ｃｏｓ（９０÷Ａ〔３０〕×Ａ）＋Ａ〔３１〕
Ｐｒｏｇ  ＭＡｗＡＲＵ・・・・・・・Ｘ、Ｙ軸数値
2010104215.tif 000006
Ａ〔３３〕
【発明の詳細な説明】
【数式】
2010104215.tif 000003
２つのＸ、Ｙの数式が基礎数式となっていて変数Ａ１つの入力だけでＸ、Ｙの数値と角度の数値が左がマイナス、右がプラスで左右対象に同じ数値で出る
回る数式である
又、Ｘｗ、Ｙｗの変数入力で円周上のＸ、Ｙの数値はもとの基線Ｘ、Ｙからの寸法になる
結果的には無限なる座標、無限なる記憶メモリが、回るだけで取れる又入れる事が出来る
【図面の簡単な説明】
【図１】はＡの変数が回るだけでＸ、Ｙの数値と角度の数値が左がマイナス、右がプラスで左右対象に同じ数値で出る
【図１】
2010104215.tif 000008
(57)【要約】      （修正有）【課題】鏡面本来の機能を損うことなく、しかも、情報伝達手段として適用できる鏡装置を提供する。【解決手段】半透明鏡板５の表面を、裏面に非透光材を積層して鏡面部７と透光部８に区画する。そして、透光部８の裏面側に、該透光部を透過する光によってメッセージを表示する表示装置４を設ける。半透明鏡板に非透光材を積層しただけで、半透明鏡を鏡面部と透光部に区画したものであるから、半透明鏡板を利用した低廉な装置を提供できる。【選択図】図１
2010104653.tif 000002
【特許請求の範囲】
【請求項１】
半透明鏡板の表面を、裏面に非透光材を積層して鏡面部と透光部に区画し、透光部の前記裏面側に、該透光部を透過する光によってメッセージを表示する表示装置を設けた、鏡装置。
【発明の詳細な説明】
【技術分野】
【０００１】
本発明は、不特定多数人が来集する飲食店、デパート或いはイベント会場等での洗面所等に用いる鏡装置に関するものである。
【背景技術】
【０００２】
人の来集する場所の洗面所には鏡を設置してあるのが一般であるが、該鏡は、具体例を挙げるまでもなく、人の顔・姿等を写して見る道具として用いられているが、洗面所などの設置しておくと、大人数の人が自分の顔を写して見る、すなわち鏡面を視覚しており、このような鏡面を何等かの情報伝達手段として利用すると有効である。
【０００３】
そして、この有効性を活用したものとして、鏡面をハーフミラーで構成し、ハーフミラーの裏側にディスプレイ装置を装置し、インターネット等からの情報を制御装置で制御してディスプレイ装置の画面に情報を表示し、鏡面を構成するハーフミラーを通して該情報を視覚・認識させるようにした表示装置が提案されている（例えば、特許文献１）。
【０００４】
【特許文献１】特開２００６−５３２７７号公報
【発明の開示】
【発明が解決しようとする課題】
【０００５】
前記従来例は、人感センサーで人の存在を検出して制御装置を作動させて一定時間ディスプレイ装置で画面表示して情報伝達を行うものであるが、人が鏡面を見るのは、第一義的には該鏡面を自身の顔・姿を見ることであるにもかかわらず、前記の従来例は、人の存在を検出してディスプレイ装置が作動して、情報が鏡面上に現われ、該情報の画像表示操作が終了し、鏡面を構成するハーフミラーが所謂ブラックアウトになるまで鏡面本来の機能を利用できない。
【０００６】
従って、鏡面本来の機能を活用するためにイベント場等の洗面所に設置する鏡装置としては必ずしも適切ではない。
【０００７】
本発明は、斯様な従来例の欠点に着目し、鏡面本来の機能を損うことなく、しかも、情報伝達手段として適用できる鏡装置を提供すべく創案したものである。
【課題を解決するための手段】
【０００８】
半透明鏡板の表面を、裏面に非透光材を積層して鏡面部と透光部に区画し、透光部の前記裏面側に、該透光部を透過する光によってメッセージを表示する表示装置を設けた、構成としたものである。
【発明の効果】
【０００９】
本発明によれば、透光部におけるメッセージの有無に係らず鏡面部を通常の鏡面部として利用でき、また透光部に必要に応じてメッセージを表示できる鏡としても利用できるから、伝言板を兼ねる鏡として利用でき、人の来集する処に設置するには好適な鏡装置を提供することができる。
【００１０】
また、半透明鏡板に非透光材を積層しただけで、半透明鏡を鏡面部と透光部に区画したものであるから、半透明鏡板を利用した低廉な装置を提供できる。
【実施例】
【００１１】
図面は本発明に係る鏡装置の一実施例を示し、図１は一部欠截略示正面図、図２は図１の縦断面図である。
【００１２】
図中、１は本発明に係る鏡装置で、鏡装置１は、前面を開口した装置枠２内に、該装置枠２の前記前面を閉塞するようにして鏡材３を納めて固定手段１２で固定し、該鏡材３の裏側に表示（ディスプレイ）装置４を収設して構成したもので、前記鏡材３は、半透明鏡板（ハーフミラー）５の裏（片）面に塩化ビニール樹脂系フィルムより成る不透明シート６を接着して一部を不透明部と成して、半透明鏡板５の表面を前記不透光部で構成する鏡面部７と透光部８とに区画し、透光部８（不透明シート６を半透明鏡板５に積層していない部分）で、該透光部８に相対設した表示装置４に内蔵した半導体メモリ、ＦＤ等の記録媒体から読み出されて表示部４ａに表示されるメッセージを、透視できるようにしてある。
【００１３】
表示装置４は、制御装置９と装置枠２外に導出したケーブル１０によって接続し、制御装置９は、前記装置枠２の近傍に装置した（装置枠２に取付けても良く、要は、鏡面部７すなわち半透明鏡板５を利用する人の存在を検出できる位置に配置してあれば良い）人感知（人の存在を検出する）装置（センサー）１１による検出信号を受けて、設定したブログラムに基き表示装置４を作動させ、表示部４ａにメッセージを表示させる。
【００１４】
そして、人感知装置１１によって人の存在を検出すると、表示装置４の表示部４ａにメッセージが表示され、そのメッセージは、本鏡装置を金融機関に設置してあれば振り込め詐欺に対する注意事項になるであろうし、イベント会場であれば催事事項になるであろうし、食堂であれば料理説明になる等、設置個所に応じた内容にして用いるのである。
【００１５】
なお、不透明シート６は、要は非透光性素材で成るものであれば良く（従って、合成樹脂は勿論、木材や金属製でも不都合はない）、積層手段は接着に限らず、半透明鏡板５に重ね合わせた状態（積層状態）を維持できる状態であればいずれの手段も本発明を実施する上に、不都合はない。従って、塗料を塗布、吹付けによって半透明鏡板５に層設しても良い。
【００１６】
実施例は、装置枠２の背面側を裏板２ａで閉塞してあるが、これは外観体裁を良好にするためで、実施例のように、不透明シート６又はそれに代るものが半透明鏡板５の裏側に積層状態におかれて該半透明鏡板５に非透光部（鏡面部７）が顕在する構造のものであれば（例えば、鏡板５と樹脂板等の間に隙間があっても、裏板２ａの存在によって隙間内に光の侵入を防ぎ、鏡面部７状態が確実に保たれ、本発明を不都合なく実施することができる）、該裏板２ａは必ずしも必要としない。
【図面の簡単な説明】
【００１７】
【図１】一部欠截略示正面図。
【図２】図１の縦断面図。
【符号の説明】
【００１８】
４      表示装置
５      半透明鏡板
７      鏡面部
８      透光部
【図１】
2010104653.tif 000003
【図２】
2010104653.tif 000004
(57)【要約】      （修正有）【課題】より簡単に履くことができる靴を提供する。【解決手段】かかとの部分を、踏みつけて履いても、履き終えた後に、かかと部に設けたスポンジなどの弾力で、元の形に戻るようにした靴。又は、かかと部が、皮靴またはその類似の物である場合、その材料を折り曲げた時の復元力で、元の形に戻るようにした靴。【選択図】図１
2010104416.tif 000002
【特許請求の範囲】
【請求項１】
かかとの部分を、踏みつけて履いても、履き終えた後に、かかと部に設けたスポンジなどの弾力で、元の形に戻るようにした靴
【請求項２】
請求項１のかかと部が、皮靴またはその類似の物である場合、その材料を折り曲げた時の復元力で、元の形に戻るようにした靴
（１）
【発明の詳細な説明】
【技術分野】
【０００１】
本発明は、靴を履くときに、かかと部を踏みつけて履いても、履いた後で、かかとがすぐに元に戻るようにした靴に関するものである。
【背景技術】
【０００２】
従来、靴を履くときは、靴べらを使用する等の、かかと部を踏まないようにいろいろと工夫がなされてきた。
【発明の開示】
【発明が解決しようとする課題】
【０００３】
従来、靴のかかとは踏むものではない、踏みつけてはいけないということが、当然のように思われてきた。それは踏みつけられたかかとが、歪になり、みっともない形になってしまうということが大きな要因であった。
【課題を解決するための手段】
【０００４】
本発明は、靴を履く際、老人にでも手軽に履けないものだろうかということから、研究を進めた。
【０００５】
そして、靴のかかと部を、踏みつけて履いても、足がきれいに靴に納まった状態まで履けたら、すぐに靴のかかと部が元に戻るようにすればいいという、結論に達した。
【０００６】
そのためには、靴のかかとの部分が、変形することなく、復元できる弾性が必要であり、いろいろな材料で実験を行った。
【０００７】
そして、簡単な布製靴などには、靴のかかと部分にスポンジなどを入れてやることで、靴のかかと部分が元に戻ることができた。
【０００８】
また、皮革などの靴の場合は、幅の狭い皮を縦に折り曲げて、数枚をつなぎ合わせ、それでかかと部分を作り、独立して動くようにした。
【発明を実施するための最良の形態】
【０００９】
本発明の最良の形態は、材質にかかわらず何れの場合でも、靴のかかと部分の最上部は、型くずれしないように硬質にするか、骨材を入れて作る。
【００１０】
また、かかと部分の最上部が、靴を履いた時の足に、あまり引っ掛かることなく、元
（２）
に戻りやすくするには、かかと部分が、真下に押し下げられ、真上にもどることが出来るだけ必要である。
【００１１】
そのために、かかと部分と、靴本体との間に僅かに伸び縮みのできる部分を設け、かかと部分が、独立した動きに近いように作る。
【実施例】
【００１２】
本発明の靴（１）を使用するには、僅かに弾力のあるかかと部（２）を踏みつけて足を靴の奥まで入れる。この際、硬質の縁（３）を設けてあるため、形が歪にならない。
【００１３】
そして、伸び縮みする部分（４）がある為、かかと部（２）が前に引っ張られることなく、真下に押し下げられ、足がきれいに靴に納まった後、真上に戻り靴を履いた状態になる。
【図面の簡単な説明】
【００１４】
【図１】本件発明の斜視図
【図２】本件発明請求項２の斜視図
【符号の説明】
【００１５】
１  靴
２  弾力のあるかかと部
３  硬質の縁
４  伸び縮みする部分
【図１】
2010104416.tif 000003
【図２】
2010104416.tif 000004
(57)【要約】【課題】分離回収が容易な固体触媒を用い、穏やかな反応条件下にて無水糖を得る新規合成法の提供を目的とする。【解決手段】非プロトン性極性溶媒中にて、固体酸触媒の存在下、単糖から無水糖を得ることを特徴とする。  グルコースからレボグルコサンと１，６−アンヒドログルコフラノースを得ることができる。【選択図】  なし【特許請求の範囲】
【請求項１】
非プロトン性極性溶媒中にて、固体酸触媒の存在下、単糖から無水糖を得ることを特徴とする無水糖の製造方法。
【請求項２】
グルコースからレボグルコサンと１，６−アンヒドログルコフラノースとを得ることを特徴とする請求項１記載の無水糖の製造方法。
【請求項３】
固体酸触媒は、酸触媒用イオン交換樹脂であることを特徴とする請求項１又は２記載の無水糖の製造方法。
【発明の詳細な説明】
【技術分野】
【０００１】
本発明は、グルコース等の単糖から無水糖を製造する方法に関する。
【背景技術】
【０００２】
近年、二酸化炭素排出抑制や化石資源エネルギーから再生可能エネルギーへの転換の観点からバイオマスの有効利用が注目されている。
特に、今後は非食系バイオマス（木質系）の変換が求められている。
木質系バイオマスの多くを占めるセルロースは、加水分解により糖化し、単糖のグルコースに変換した後にバイオ燃料や各種化合物の出発原料として利用されている。
この中で、グルコースを脱水することにより得られる無水糖は抗ガン剤原料、生分解性ポリマー原料、光学分割剤等に利用されている非常に価値の高い化合物である。
これまでに提案されている無水糖の合成方法は、セルロースの熱分解、グルコースの熱分解に関するものが殆どである（特許文献１〜６，非特許文献１）。
しかし、セルロース，グルコースを高温で熱分解し、無水糖を得る方法では、高温での専用の耐熱性装置が必要であることや、高い収率を得るには急激に加熱し、数秒から数分間の反応後にまた急激な冷却が必要であるために反応制御が難しい問題がある。
【先行技術文献】
【特許文献】
【０００３】
【特許文献１】特開平３−７５２１０号公報
【特許文献２】特開２００３−３４２２８９号公報
【特許文献３】特開２００６−２８０４０号公報
【特許文献４】特開２００７−１０６６８５号公報
【特許文献５】特開２００７−２１７３８６号公報
【特許文献６】ＰＣＴ  ＷＯ２００８／０８４７０５公開公報
【非特許文献】
【０００４】
【非特許文献１】J. Wood Sci. Vol.47(2001), P502-506
【発明の概要】
【発明が解決しようとする課題】
【０００５】
本発明は、上記従来技術の熱分解法に内在する技術的課題に鑑みて、分離回収が容易な固体触媒を用い、穏やかな反応条件下にて無水糖を得る新規合成法の提供を目的とする。
【課題を解決するための手段】
【０００６】
本発明は、非プロトン性極性溶媒中にて、固体酸触媒の存在下、単糖から無水糖を得ることを特徴とする。
グルコースを基質とすると、レボグルコサン（アンヒドログルコピラノース：１，６−ａｎｈｙｄｒｏ−β−Ｄ−ｇｌｕｃｏｐｙｒａｎｏｓｅ，以下、ＡＧＰと称する。）及び１，６−アンヒドログルコフラノース（１，６−ａｎｈｙｄｒｏ−β−Ｄ−ｇｌｕｃｏｆｕｒａｎｏｓｅ，以下、ＡＧＦと称する。）が得られる。
【０００７】
この場合の反応スキームを下記反応式（Ａ）に示す。
【化１】
2010202626.tif 000002
【０００８】
固体酸触媒は、固体酸として作用するものであれば特に限定はないが、酸触媒用のイオン交換樹脂が好ましい。
固体酸触媒としては例えば、下記化学式（１）に示すアンバーリスト−１５（ローム・アンド・ハース株式会社、アンバーリストは登録商標）及び、化学式（２）で示すナフィオン（登録商標，デュポン社）が挙げられる。
【化２】
2010202626.tif 000003
【化３】
2010202626.tif 000004
【発明の効果】
【０００９】
本発明は、固体酸触媒を用いたことにより、グルコース等の単糖を基質として、非プロトン性極性溶媒中にて、穏やかな反応条件下で、高収率に無水糖を得ることができる。
また、固体酸触媒を用いたことにより、反応後に中和、分離回収が不要で触媒はそのまま再利用できる。
【発明を実施するための形態】
【００１０】
本発明に係るプロセスの特徴を以下実験結果に基づいて説明するが、これに限定されるものではない。
【００１１】
（実験１）
各種溶媒３ｍｌ中にグルコース０．１ｇ、固体酸触媒アンバーリスト−１５，０．１ｇを加え、所定温度にて３時間反応させた結果を表１に示す。
【表１】
2010202626.tif 000005
【００１２】
表中、ＮＭＰはＮ−メチルピロリドン、ＤＭＦはＮ，Ｎ−ジメチルホルムアミド、ＤＭＩは１，３−ジメチル−２−イミダゾリジノン、ＤＭＳＯはジメチルスルホキシドを示す。
この結果、いずれの非プロトン性極性溶媒を使用してもレボグルコサン（ＡＧＰ）及び１，６−アンヒドログルコフラノース（ＡＧＦ）がそれぞれ収率１０〜３４％，９〜３０％の高い収率で得られ、フルクトースやＨＭＦ（５−ヒドロキシメチルフルフラール）の生成は確認されなかった。
なお、分析は高速液体クロマトグラフ（ＨＰＬＣ，カラムＢｉｏ−ｒａｄ社製，Ａｍｉｎｅｘ  HＰＸ−８７Ｘ）を用いた。
【００１３】
（実験２）
次に触媒の影響を確認すべく、溶媒としてＤＭＦ  ３ｍｌを用い、グルコース０．１ｇに対して各触媒０．１ｇ加え、１００℃、３時間反応させた結果を表２に示す。
なお、アンバーリスト−１５を用いて、反応温度を１２０℃にすると、ＡＧＰ収率３３％、ＡＧＦ収率３０％に向上した。
【００１４】
【表２】
2010202626.tif 000006
【００１５】
表中、ｐ−ＴｓＯＨはｐ−トルエンスルホン酸を示し、Ｈ２ＳＯ４，ＨＣｌとともに均一系の触媒である。
また、ＨＺＳＭ−５，ＨＹはゼオライトを示す。
【００１６】
実験２から、触媒及び反応温度の影響が大きいことが明らかになったので、触媒の量とグルコースの量との比をモル比１：３と同一にして各反応温度で３時間反応させた結果を表３に示す。
【００１７】
【表３】
2010202626.tif 000007
【００１８】
この結果、固体酸触媒アンバーリスト−１５，及びナフィオンＮＲ５０は選択率が高いことが明らかになった。
(57)【要約】【課題】自転車で走行中、路面の状態に依りトルクを貯えたり戻したりしてペダルを加えるトルクの平均化を目的とする。【解決の手段】ペダルのトルクはブレーキデスク６を止めた状態で原動歯車２より反転歯車５と内ば歯車３を反転してバネで引く引綱を巻胴に巻き上げラチェット４でトルクを貯える。ブレーキデスク６を動かすと発明全体がトルクを加えた方向に回りペダルにトルクは戻る。【選択図】図１
2010202174.tif 000002
【特許請求の範囲】
【請求項１】
原動歯車２と内ば歯車３の間に反転歯車５とラチェット４を取り付けたブレーキデスク６を嵌装したもので、ブレーキデスク６を止めてトルクを貯え動かしてトルクを戻す構造。
【発明の詳細な説明】
【技術分野】
【０００１】自転車で走行中路面の状態に依る必要なトルクの変化を貯えたり戻したりして走行を助けることである。
【背景技術】
【０００２】従来の変速自転車は、トルクとスピードが反比例する欠点がある。
【発明の開示】
【発明が解決しようとする課題】
【０００３】バネにトルクを貯えてトルクの加えた方向に戻すことえを目的とする。
【課題を解決するための手段】
【０００４】構造は図面の如く、スプロケットを固定した原動歯車２とバネで引く引綱を巻く巻胴を固定した内ば歯車３及びラチェット４と反転歯車５を取付けたブレーキデスク６を回転軸１に嵌装したものである。
動作はブレーキデスク６を止めて原動歯車２を右回転すると反転歯車５と内ば歯車３は左回転して巻胴に引綱を左に巻きラチェット４の歯止めでトルクを貯える。
ブレーキデスク６を動かせば発明全体は右に回りトルクは加えた方向に戻る
【発明の効果】
【０００５】必要とするトルクの小さい時と制動時は貯え、大きい時はトルクを戻して対応する。
【発明を実施するための最良の形態】
【０００６】坂道の多い地域に有効である。
【図面の簡単な説明】
【０００７】
【図１】  発明を２等分した立体図
【符号の説明】
【０００８】１  回転軸
２  原動歯車
３  内ば歯車
４  ラチェット
５  反転歯車
６  ブレーキデスク
【図１】
2010202174.tif 000003
(57)【要約】【課題】  従来の自動車は、後方からの追突を避ける為のブレーキランプのみであったが、歩行者や前方から対向する車両の動きを視認する効果は全くなかった。【解決手段】  車両前方から停止や減速が視認できれば、歩行者の安全の向上や対向する車両同士の挙動確認や出会い頭事故防止や後方から接近する車両の挙動確認等の視認性が向上し事故防止にも繋がる。  簡単に後付けで車両前方にもブレーキランプ装置を追加する事が出来る。【選択図】図１
2010202172.tif 000002
【特許請求の範囲】
【請求項１】
車両前方用ナンバーフレームにブレーキランプを組み込むことを特徴とする前方用ブレーキランプ装置である。
【発明の詳細な説明】
【技術分野】
【０００１】  この発明は、自動車に用いるブレーキランプの形状に関する。
【背景技術】
【０００２】  従来の自動車は、後方からの追突を避ける為のブレーキランプのみだったので、歩行者や前方から対向する車両の動きを視認する効果は全くなかった。
【先行技術文献】
【特許文献】
【０００３】特開平１１−２６３１６３
【発明の概要】
【発明が解決しようとする課題】
【０００４】  従来の自動車は、後方からの追突を避ける為のブレーキランプのみであったが、車両前方から相手車両の停止や減速が確認できれば、歩行者の安全や対向する車両同士の事故防止にも繋がる。
そこで、この発明は、簡単に後付で車両前方にブレーキランプ装置を追加する事を提供することを課題とする。
【課題を解決するための手段】
【０００５】  以上の課題を解決するために、第一発明は、前方用ナンバーフレームにブレーキランプを組み込むことを特徴とする前方用ブレーキランプ装置である。
【発明の効果】
【０００６】  第一発明は、車両前方にブレーキランプ装置を装着する事を特徴とする前方用ナンバーフレーム。
【図面の簡単な説明】
【０００７】
【図１】この発明の一実施形態を示す斜視図である。
【発明を実施するための形態】
【０００８】  この発明の一実施形態を、図１に示す。
このナンバーフレームはステンレス製であってその下部にＬＥＤのランプが付けられている。
【実施例】
【０００９】  この実施形態によれば、従来より使用していた車両ナンバーフレームにＬＥＤブレーキランプを組み付けることにより個人が簡単に後付で取り付けることが出来る。
【他の実施形態】
図１の実施形態では、ＬＥＤブレーキランプはナンバーフレーム下部に取り付けてあるが、ナンバーフレームの両側であったりＬＥＤ部分にＳＴＯＰ等の文字を表示できるような形態でも良い。
【産業上の利用可能性】
【００１０】  自家用自動車以外にも大型トラックや公共性の高い乗り合いバス・タクシー等、利用者が従来より安全に自動車の状態が認識しやすい。
【符号の説明】
【００１１】  １、ナンバーフレーム本体
２、ＬＥＤブレーキランプ
【図１】
2010202172.tif 000003
(57)【要約】【課題】  本発明が解決しようとする課題は、包装容器の開封と未開封が容易且つ明確に確認できると共に、開封後、包装容器等の面に粘着剤付きの剥離層が残ることの無い封引用シールを提供することである。【解決手段】  本発明は、包装の開封時、帖着された封止シールを剥離させる事により、文字又は任意の絵柄等が表示される該開封警告シールに於いて、粘着性の該開封警告シールの前記粘着面にの表面に、両面粘着シート状部材を帖着したことである。【選択図】図１
2010202851.tif 000002
【特許請求の範囲】
【請求項１】
包装の開封時、帖着された該封印シールを剥離させる事により、文字又は任意の絵柄等が表示される該封印用シールに於いて、粘着性の該封印用シールの前記粘着面にの表面に、粘着シート部材を帖着したことを特徴とする封印用シール。
【発明の詳細な説明】
【技術分野】
【０００１】  本発明は、容器又は包装等の開封を確認できる封印用のシールを剥離させて面にの糊残りの無い封印用シールに関するものであ。
【背景技術】
【０００２】  従来、再使用防止粘着ラベルはプラスチックフィルムの片面に文字又は絵柄等の剥離層を設け、その上に印刷又はアルミ蒸着等を施し、更にその上に粘着層が形成し、この粘着面にはセパレーターとしての剥離紙が設けてある。【０００３】  このため、使用するに当たって、商品等の包装を輸送や店頭に陳列して有る祭、開封の有無を明確にするための手段として用いることが多い。
従って封印するに必要な大きさにカットした再使用防止ラベルのセパレターを取り除き、封印するべき場所に貼着する。
店頭や、搬送途上で何者かが再使用防止ラベルを剥がし、包装を開封すると、文字又は絵柄等の剥離層の上に施された印刷又はアルミ蒸着等は粘着層によって包装材の面に粘着し、再使用防止ラベルの面から剥離してしまい、開封したことが確認できるため、実用に供されている。【０００４】  しかし、その反面、包装材に再使用防止シールから剥離した粘着層が包装材の面にそのまま残り、そのまま包装材料や容器の面に残り露出しているため、例えば、みやげ物等包装容器やキャラクター等魅力的な印刷、又は綺麗な色合いの包装容器等、後々まで使用したい、又は、愛玩したい等の包装容器である場合、包装材や包装容器等の面に残る粘着剤が、べたべたして極めて不快であると言う課題が有った。
【発明が解決しようとする課題】
【０００５】  従って、本発明が解決しようとする課題は、包装容器の開封と未開封が容易、且つ明確に確認できると共に、開封後、包装容器等の面に粘着剤付きの剥離層が残ることの無い封印用シールを提供することである。
【課題を解決するための手段】
【０００６】  本発明は、包装の開封時、帖着された封止シールを剥離させる事により、文字又は任意の絵柄等が表示される該封印用シールに於いて、粘着性の該封印用シールの前記粘着面にの表面に、両面粘着シート状部材を帖着したことである。
【発明の効果】
【０００７】  本発明によれば、粘着性の該封印用シールの前記粘着面にの表面に、両面粘着シート状部材を帖着したことで、包装容器等を開封する祭、該封印用シールを引き剥がすことにより、包装の開封を証拠立てる絵柄又は文字が現れる事により、包装容器の開封と未開封が容易且つ明確に確認できると共に、開封後、包装容器等の面に粘着剤付きの剥離層が残ることの無い封印用シールを提供することでる等の効果が有る。
【発明を実施するための最良の形態】
【０００８】  以下、本発明の実施の形態を図１に基づいて説明すると、透明の合成樹脂から成るフィルム状の基材１の片面に部分的に剥離層２を設け、更にその表面方向から粘着層３を設け、この粘着層３の面には印刷又はアルミ蒸着等によって、透明性を排除する表示層４を設けると共に、若干の伸張性を生ずる程度の薄い基材５を設け、基材５の面には粘着層６を設けと良く、この場合粘着層６の粘着力は粘着層３の粘着力より若干弱い粘着力であることが望ましく、未使用の時点に於いては、粘着層６の面にはセパレーターとして剥離紙等を貼着しておくか、又は、基材１の外面に剥離加工を施し、テープ状に形成しロール状に保管することも可能である。【０００９】  以下、上記構成の作用を説明すると、包装容器を開封する部分、又は、包装材等を用いて包装された包装の開封する部分に本発明の該封印用シールをセパレーターから剥離して粘着層６の面を貼着する。【００１０】  開封する場合、本発明の該封印用シールを一端から引き剥がすことによって、粘着層６の粘着力によて基材５及び粘着層４を介して表示層に引き剥がしの力が及び、剥離層２の面の表示層３は基材１の面から剥離し、若干の距離が生ずる。【００１１】  この時、基材５は若干の伸長性を有しているから、粘着層６の粘着力によって引き伸ばされ、剥離した表示層３の面積が増大し、且つ、空間が形成されることにより、剥離層２の形状と略等しい透明部分が基材１に生ずることとなる。【００１２】  更に、基材１の面から剥離した表示層３は引き伸ばされた基材５によって完全にカバーされているため、包装容器又は包装材等の面に付着して残ることは無く、包装容器の開封と未開封も、容易、且つ、明確に確認できると共に、開封後、包装容器等の面に粘着層６の粘着剤が残ることの無い封印用シールを提供することでる等の効果が有る。
又、（図示しないが）基材５に替えて両面粘着シートを用いることも可能である。
【図面の簡単な説明】
【００１３】
【図１】  本発明の実施の形態を示す断面図
【符号の説明】
【００１４】    １  基材
２  剥離層
３  表示層
４  粘着層
５  基材
６  粘着層
【図１】
2010202851.tif 000003
(57)【要約】      （修正有）【課題】農林業生産時に副生するバイオマス廃棄物から水素を得る方法を提供する。【解決手段】バイオマス廃棄物を粒状加工し、窯を用い、乾燥、乾留する。窯底から窯天井間に揮発分吸引管を設け揮発分の燃焼を避ける。窯上部内周の点火用電熱により点火する。窯上部外周より空気を中心に向け噴射し燃焼域を確保する。吸引管内にピストンを設け揮発分吸引のタイミングを取る。残留炭素の表面燃焼熱と揮発分分解室に残った炭素を燃焼域で燃焼させ揮発分分解室加熱の熱源とする。吸引管の高温部と揮発分分解室はキャスター製とし耐熱性を確保する。バイオマス廃棄物を窯底よりピストンにより挿入し窯底に設けたプロペラにより攪拌し押し上げる。得られた揮発分を熱分解し炭素と水素を得る。【選択図】なし【特許請求の範囲】
請求項
１バイオマス廃棄物を粒状加工し通気性と流動性を確保し連続処理を進める。
２窯底から窯天上間に揮発分吸引管を設け揮発分の燃焼を避ける。
３窯上部内周に点火用電熱により点火する。
４窯上部外周より空気を中心向け噴射し燃焼域を確保する。
５吸引管内にピストンを設け揮発分の吸引のタイミングを取る。
６残留炭素の表面燃焼熱と揮発分分解室に残た炭素を燃焼域で燃焼させ揮発分分解室加熱の熱源とする。
７吸引管の高温部と揮発分分解室はキャスター製とし耐熱性を確保する。
８バイオマス廃棄物を窯底よりピストンにより挿入し窯底に設けたプロペラにより攪拌し押し上げる。
９揮発分分解後の廃熱でバイオマス廃棄物を乾燥する。
１０分解窯全体乾いた土覆い放熱を避ける。
１１吸引管の周りに放射上に吸引弁を取り付けコントロールする
１２窯上部内周に灰溜まりを設け吸引し灰による閉鎖を防ぐ。
【発明の詳細な説明】
【技術分野】エネルギー生産
【世界的な状況】
産業革命以来化石燃料を消費し通ずけた  結果  二酸化炭素が増え産業革命以前と比べ人間にとって不都合な環境となりつつある。
【バイオマス廃棄物より連続的、効率的に水素を分離するための課題と解決手段】
１．連続的にバイオマス廃棄物より分解を進めるために粒状加工し流動性と通気性を確保    する。
２．分解の障害となる水分を最終廃熱で除く、アルミ管を垂直立てアルミに熱を捕らえア    ルミより加熱しバイオマス廃棄物より水分を除く    アルミ管を垂直に立てアルミ管    の周りにバイオマス粒状物収容域を設けるためにステンレス管で囲みアルミ管下部よ    りバイオマス粒状物をピストンにより押し上げアルミ管上部よりバイオマス粒状物収    容域へ供給し水分を除く。
３．乾燥されたバイオマス粒状物を窯底よりピストンにより窯内へ挿入し窯内底部に設置    したプロペラにより攪拌、制圧し窯内に満し通ける。
４．窯内上部内周に設置した電熱線により点火し、窯上部外周より空気を窯中心に向け噴    射し燃焼域を確保する。
５．分解窯低部より窯天井まで揮発分吸引管を設け揮発分を吸引し燃焼を防ぐ吸引管に燃    焼域より３００ミリ下より下から分解窯低部より１００ミリ上た位置まで放射状に吸  入弁を取り付け吸引管内へピストンを取り付け吸引をコントロールする
６．燃焼域よりの熱で窯全体を加熱しバイオマスを揮発分と残留炭素に分解、揮発分をピ    ストンにより吸引し残留炭素の表面燃焼熱と揮発分分解時に残た炭素の燃焼熱により    揮発分分解室を加熱し揮発分を炭素と水素に分解分解室低部に残た炭素を吸引し燃焼    域へ噴射し燃焼させ熱源とする。炭素の吸引のタイミングは揮発分吸引時に行う
７．燃焼域に残た灰により燃焼域の閉鎖を防ぐために窯上部内周に灰溜まりより揮発分吸    引時に灰を吸引し取り除く。
８．分解を確実効率的に進めるために窯全体を乾いた土で覆う。
９．揮発分分解室の加熱は燃焼域の熱で加熱する。
１０．  燃焼域と揮発分分解室はキャスター製とし耐熱性と蓄熱性
１１．  を持たせる。
１２．  揮発分吸引管の低温部は鋼製とし加工性と耐磨耗性を確保する。
１３．  揮発分分解室上部にアルミ製吸熱体を設置し廃熱を捕らえ粒状乾燥物をアルミ管    より加熱し乾燥を進める。
１４．  揮発分分解室をキャスター製とし燃焼域より発生した熱を蓄え揮発分分解の効率    化をはかる。
【発明の効果】
農林業生産時に副生するバイオマス廃棄物より水素を生産することにより活動エネルギーが賄える。
【実施例】農林業生産時に副生するバイオマス廃棄物を粒状加工し流動性と通気性を確保し連続的に水素を分離プラントに取り込み粒状加工されたバイオマス廃棄物をアルミ管を垂直に立てアルミ管低部よりピストンで押し上げ次々と満しアルミ管より溢れさせアルミ管を囲うようにバイオマス廃棄物収容の間隔を設けステンレス管で囲みアルミ管より最終廃熱により乾燥し乾燥されたバイオマス廃棄物を分解窯底よりピストンにより挿入窯底に設けられたプロペラにより制圧、攪拌し窯内へ供給、窯内内周に設けた電熱線により点火窯上部外周より窯中心に向け空気を噴射し燃焼域を確保し分解を進め、揮発分の燃焼を避けるため窯底から窯天上にかけ吸引ん管を取り付け揮発分を揮発分分解室へピストンにより噴射し水素と炭素に分解炭素を残し水素をタンクに貯蔵する。
(57)【要約】      （修正有）【課題】カップラーメンを調理する際に、蓋を所定の位置まで開けてお湯を注ぎ、蓋を戻して、蓋を保持するために、蓋の上に皿とか鍋蓋、本を重しにする為に、それらを探すことが多く不便を感じてしまう。【解決手段】カップの口に、お湯を注ぐ開口部の１／３３〜１／４の長さでカップの縁の厚みと蓋の厚みの２枚分を合計した隙間を持つ、片方の端が広くなった樹脂製の簡単キャップを設け、カップ麺にお湯を入れて蓋を戻し際にスライドする。【選択図】なし【特許請求の範囲】
【請求項１】
全てのカップ（めん類、スープ類、穀類）でお湯を注ぎ一定の時間が必要な商品に用いることができる。カップ（円、四角）の大きさ、形状が異なるので形状の開口部の１／３〜１／４の長さ（カップの縁の厚みと蓋の厚み）を合計したものとして、それを締め付ける形状にした樹脂製の物、端だけは広げておく。そうすればカップに付属されている簡単キャップをスムーズに移動するので簡単にキャップすることができる。
【発明の詳細な説明】
【技術分野】    簡単キャップはカップ麺にお湯を入れて蓋を戻しスライドするだけでよい。
【発明の開示】
【発明が解決しようとする課題】カップラーメンの蓋を所定の位置まで開けてお湯を注ぎ、蓋を戻して、その上に皿とか鍋蓋、本を重しにする為に探すことが多く不便を感じてしまう。コンビニでカップラーメンにお湯を入れた時には特に不便を感じる。
【課題を解決するための手段】カップラーメンの容器に付いている簡単キャップを注ぎ口にスライドするだけでよい。
【発明の効果】カップ麺にお湯を入れて蓋を戻しスライドするだけでよい。
【発明を実施するための最良の形態】カップ（円、四角）の大きさ、形状が異なるので各商品のお湯を注ぐ開口部の１／３〜１／４の長さでカップの縁の厚みと蓋の厚み２枚分を合計した隙間を持つ樹脂製の物、片方の端だけは（プラス０．５ミリ程）広げておく。そうすればカップに付属されている簡単キャップをスムーズに移動するので簡単にキャップすることができる。
【実施例】
2010202279.tif 000002
【産業上の利用可能性】全てのカップ（めん類、スープ、穀類）でお湯を入れて一定の時間が必要な商品には用いることができる。